(57)【要約】  本発明は、板ガラスが挿入された金属フレームを有するガラスドアを備える冷蔵庫ユニット及び／又は冷凍庫ユニットに関する。本発明によれば、冷蔵庫ユニット及び／又は冷凍庫ユニットにおいて、上記金属フレームは、外周部に一部材で一体成形されたメタルジャケットを備えていることを特徴とする。【選択図】図１
2008522121.tif 000002
【特許請求の範囲】
【請求項１】
板ガラス（６）が挿入された金属フレーム（５）を有するガラスドア（３）を備え、
上記金属フレーム（５）は、外周部に一部材で一体成形されたメタルジャケット（７）を備えていることを特徴とする冷蔵庫ユニット及び／又は冷凍庫ユニット。
【請求項２】
請求項１記載の冷蔵庫ユニット及び／又は冷凍庫ユニットにおいて、
上記メタルジャケット（７）の周辺部にフレーム強化部材（１０）が挿入されていることを特徴とする冷蔵庫ユニット及び／又は冷凍庫ユニット。
【請求項３】
請求項２記載の冷蔵庫ユニット及び／又は冷凍庫ユニットにおいて、
上記フレーム強化部材（１０）は、特に押出し成形部品である、上記メタルジャケット（７）の背面に接合されている複数の組立部品（１１）を有していることを特徴とする冷蔵庫ユニット及び／又は冷凍庫ユニット。
【請求項４】
請求項３記載の冷蔵庫ユニット及び／又は冷凍庫ユニットにおいて、
上記組立部品（１１）は、互いに接合され、特に互いに接着接合され、強固な周辺強化フレームを形成するように組み立てられていることを特徴とする冷蔵庫ユニット及び／又は冷凍庫ユニット。
【請求項５】
請求項２に関連する請求項３又は４記載の冷蔵庫ユニット及び／又は冷凍庫ユニットにおいて、
上記フレーム強化部材（１０）は、上記メタルジャケット（７）の背面側に形成され、又は上記メタルジャケットに充填される発泡体を含んでいることを特徴とする冷蔵庫ユニット及び／又は冷凍庫ユニット。
【請求項６】
請求項１〜５のいずれか１つに記載の冷蔵庫ユニット及び／又は冷凍庫ユニットにおいて、
上記メタルジャケット（７）は、特に深絞り加工及び／又は曲げ加工及びフランジ加工によって、非切削形成されたシートメタル部品で構成されていることを特徴とする冷蔵庫ユニット及び／又は冷凍庫ユニット。
【請求項７】
請求項２に関連する請求項３〜６のいずれか１つに記載の冷蔵庫ユニット及び／又は冷凍庫ユニットにおいて、
上記板ガラス（６）が固定される板ガラスホルダ（１２）は、上記フレーム強化部材（１０）に固定されていることを特徴とする冷蔵庫ユニット及び／又は冷凍庫ユニット。
【請求項８】
請求項５及び７記載の冷蔵庫ユニット及び／又は冷凍庫ユニットにおいて、
上記板ガラスホルダ（１２）は、上記発泡体（１９）に発泡成形されていることを特徴とする冷蔵庫ユニット及び／又は冷凍庫ユニット。
【請求項９】
請求項７に関連する請求項３又は４記載の冷蔵庫ユニット及び／又は冷凍庫ユニットにおいて、
上記板ガラスホルダ（１２）は、上記組立部品（１１）にフランジ状に固定されており、特に一部材で一体成形されていることを特徴とする冷蔵庫ユニット及び／又は冷凍庫ユニット。
【請求項１０】
請求項１〜９のいずれか１つに記載の冷蔵庫ユニット及び／又は冷凍庫ユニットにおいて、
上記板ガラスホルダ（１２）は、上記金属フレーム（５）から内側に突出するとともに上記板ガラス（６）の平坦な面を、好ましくは確実に接着することによって支持する支持縁部（１３）を有していることを特徴とする冷蔵庫ユニット及び／又は冷凍庫ユニット。
【請求項１１】
請求項１〜１０のいずれか１つに記載の冷蔵庫ユニット及び／又は冷凍庫ユニットにおいて、
上記板ガラス（６）は、複数のガラス板が互いに間隔を空けて配置され、好ましくは互いにスペーサによって接合されている多重ガラス板であることを特徴とする冷蔵庫ユニット及び／又は冷凍庫ユニット。
【請求項１２】
請求項１〜１１のいずれか１つに記載の冷蔵庫ユニット及び／又は冷凍庫ユニットにおいて、
上記メタルジャケット（７）と上記板ガラス（６）との間、及び／又は上記板ガラスホルダ（１２）と上記板ガラス（６）との間に、特に弾性リップシールであるシールが設けられていることを特徴とする冷蔵庫ユニット及び／又は冷凍庫ユニット。
【請求項１３】
請求項１〜１２のいずれか１つに記載の冷蔵庫ユニット及び／又は冷凍庫ユニットにおいて、
特にヒータ（１５）又は温度計（８）等の付加的な機能が、上記メタルジャケット（７）と上記板ガラス（６）との間で上記金属フレーム（５）に設けられていることを特徴とする冷蔵庫ユニット及び／又は冷凍庫ユニット。
【請求項１４】
請求項１〜１３のいずれか１つに記載の冷蔵庫ユニット及び／又は冷凍庫ユニットにおいて、
上記金属フレーム（５）には、上記板ガラス（６）を照らすための照明装置（１５）が設けられていることを特徴とする冷蔵庫ユニット及び／又は冷凍庫ユニット。
【発明の詳細な説明】
【技術分野】
【０００１】
本発明は、板ガラスが挿入された金属フレームを有するガラスドアを備えた冷蔵庫ユニット及び／又は冷凍庫ユニットに関するものである。本願の適用範囲において、冷蔵庫ユニットは、特にワイン貯蔵用の冷却器としても用いることができる。
【背景技術】
【０００２】
冷蔵庫ユニットの従来のガラスドアは、多くの点において不都合である。金属フレームが、４５度隅切りした押出しアルミニウム部品で組み立てられている限り、その接合部において寸法公差による空隙ができてしまうことは避けられない。ロックや確認窓等の追加機能を押出し部品に組み入れることは困難である。また、金属フレームの外形は、フレーム部品によってあらかじめある程度決まってしまうので、その後に機械加工を行っても、わずかに調節できるだけである。
【０００３】
ガラスドアのフレームが、押出しプラスチック部品及び／又は射出成形部品を用いて溶接又は差し込みによって構成されている限り、一般的に、高品位な外観を得ることは困難である。つまり、溶接を行うため、接合箇所が見えてしまう。また、様々なプラスチック部品を組み合わせるため、均一な色目又は仕上がりにすることは困難である。
【発明の開示】
【発明が解決しようとする課題】
【０００４】
したがって、本発明の課題は、従来技術における不都合な点を回避するとともに有利な方法で発展させる、改良された冷蔵庫ユニット及び／又は冷凍庫ユニットを提供することである。特に十分な安定性を備える、高品質な外観を呈するガラスドアを提供することである。
【０００５】
本発明によれば、この課題は、請求項１の冷蔵庫ユニット及び／又は冷凍庫ユニットによって解決される。本発明の好ましい態様は、従属項に係るものである。
【課題を解決するための手段】
【０００６】
本発明によれば、板ガラスを取り囲む金属フレームは、複数の部品を組み合わせて得られたものではない。この金属フレームは、外周部に一部材で一体成形されるとともに少なくとも見られる側のドア表面に継目を有さないメタルジャケットを備えている。これにより、従来では得られなかった均質な外観が得られる。また、色のばらつきや、見えるところに空隙や接合箇所が生じなくなる。ドアの外層部は、その全面積にわたり、均一に製造され且つ延伸された材料で構成されている。それにもかかわらず所望の安定性を得るために、メタルジャケットの周辺部にフレーム強化部材が有利に挿入されている。その結果、金属フレームに慣例的に要求される安定性を考慮することなく、一部材から一体成形されたメタルジャケットの形状を実質的に多種且つほぼ要求通りに設計できる。
【０００７】
一部材から一体成形されたメタルジャケットは、特に、一体化されたシートバーから製造できるとともにガラス板用に中央に打ち抜かれた凹みを備えることができる、非切削で形成された薄板の金属シートから構成されている。メタルジャケットは、深絞り加工されたものであることが好ましい。代替的に又は付加的に、メタルジャケットは曲げ加工及びフランジ加工されていてもよい。曲げ加工もフランジ加工もされていない末端のウェブは、見えないところの接合箇所で溶接されていてもよい。
【０００８】
フレーム強化部材は通常、種々な態様が可能である。
【０００９】
本発明の有利な実施形態によれば、フレーム強化部材は、メタルジャケットの背面に接合される複数の組立部品を有していてもよい。特に、押出しプラスチック部品又は押出しアルミニウム部品を、メタルジャケットの背面に設置し、それらを有利に接着接合してもよい。
【００１０】
組立部品によって得られた剛性をさらに高めるために、組立部品を互いに接合させることが有利であり、特に、組立部品は、互いに接着及び／又は圧着することにより、強固な周辺強化フレームを形成する。また、組立部品は互いにラッチ止めされていてもよい。これにより、せん断応力を特に容易に遮断することができる。
【００１１】
代替的に又は付加的に、メタルジャケットの背面側に形成され、又はメタルジャケットに充填されている、発泡体をフレーム強化部材として用いることもできる。メタルジャケットの内側は、好ましくは全面積にわたって発泡体に面接合している。特に、メタルジャケットの側面が断面視において互いの方向に傾斜している場合には、背面側に発泡体を備えることにより、相当な剛性を得ることができる。同時に、メタルジャケットの背面側に発泡体を備えることにより、熱伝達係数、いわゆる断面の「Ｋ値」が実質的に向上する。さらに、発泡体により、フレーム部分及びフレーム部分と板ガラスとの間の部分における結露を相当に減らすことができる。よって、金属フレームにはヒータを用いなくても結露がほとんど生じない。
【００１２】
板ガラスは、様々な方法で金属フレームに取り付けることができる。本発明のさらなる観点において、板ガラスのための板ガラスホルダを設け、これをフレーム強化部材に固定させることもできる。上記のような発泡体をフレーム強化部材として充填する場合には、板ガラスホルダは発泡体に形成することができる。また、上記組立部品をフレーム強化部材として設ける場合には、板ガラスホルダはこれら組立部品そのものによって形成されていてもよいし、これらの上に一体的にフランジ状に成形してもよい。
【００１３】
板ガラスホルダは、有利なことに金属フレームから内側に突出するとともに板ガラスの平坦な面を支持する支持縁部を有する。支持縁部及び板ガラスは適切に接合されている。板ガラスは、特に支持縁部に接着接合することができる。これらの部分にガラスを接着接合することにより、ドアに最終的な剛性を与えることができる。
【００１４】
優れた断熱性を得るために、板ガラスは、複数の板ガラスが互いに間隔を空けて配置される、本発明に係る多重ガラス板である。本発明の一実施形態によれば、３枚のガラス板を、縁部に設けた周辺スペーサによって互いに接合させることができる。
【００１５】
本発明のさらなる観点において、特に弾性リップシール等のシールを、メタルジャケットと板ガラスとの間及び／又は板ガラスホルダと板ガラスとの間に設けられる。これにより、水分の侵入を防止するとともに終端処理がきれいに行われる。
【００１６】
扉を照明するために、板ガラスに光を当てるための照明装置を金属フレームに備えることができる。この目的のために、発光ダイオード又は蛍光灯を、金属フレームと板ガラスとの間の部分に設けてもよい。これにより、ユニット内部を明るくするための個別の照明を任意に省略することができる。さらに付加的な機能として、例えばフレーム暖房装置のようなものもメタルジャケット内部に設けることができる。
【００１７】
シールの上方及び／又は下方でドア３をユニット躯体方向に対して延長させて、例えばユニットを覆うか又はユニットから突出させる場合には、金属フレームにドア延長部等の追加の部品を設けてロック又は温度計等のその他の構成要素を任意に追加できるようにしてもよい。
【発明を実施するための最良の形態】
【００１８】
以下に、好ましい実施形態及び図面を参照しながら、本発明をより詳細に説明する。
【００１９】
図１に示す冷蔵庫１は、それ自体は前面側が開放されているとともに、ドア３によって閉じられる略立方体のユニット躯体２を備えている。ドア３は、ドアハンドル４を用いて図１の右側に配置された回転軸のまわりを回転させることによって開閉されるように、それ自体で周知である方法によって垂直なドア回転軸周りに回転可能にユニット躯体２に支持されている。
【００２０】
図２においてさらに詳細に示すように、ドア３は、板ガラス６が挿入された金属フレーム５を有するガラスドアである。このようなガラスドアでは一般に金属フレームは非常に細長に作られている。板ガラス６は一般にドア幅又はドア高の２／３以上を占めている。
【００２１】
金属フレーム５は、外周部に一部材で一体成形され、特に非切削形成加工で一体化された一枚のシートメタル板から成形されたメタルジャケット７を備えている。メタルジャケット７は、特に、深絞り加工されたもの、又は曲げ加工及びフランジ加工されたものであってもよい。メタルジャケット７は、複数の金属フレーム部品から組み立てられる従来のメタルガラスドアではあることだが、少なくとも図２に示す外から見える方の正面側に継目又は接合箇所を有していない。
【００２２】
金属フレーム５上部の横方向に延びる部分のメタルジャケット７には、温度計８及びロック９を設けるための打抜き部が形成されている。
【００２３】
ドアに所望の安定性及び剛性を付与するために、ドアを安定させる閉じた強化フレームを得るため接着結合によって互いに接着され、必要に応じて互いにラッチ止め又は圧着される組立部品１１という形でフレーム強化部材１０がメタルジャケット７の背面側に挿入されている。補強組立部品１１は、図示した実施形態（図３ａ参照）において金属フレーム５の側方縁部に沿って挿入されるような押出し成形部品であってもよく、又は図示した実施形態（図３ｂ参照）において金属フレーム５の横方向の縁部に沿って挿入されるような射出成形部品であってもよい。
【００２４】
板ガラス６は、メタルジャケット７中央の打抜き部において、板ガラスの面とほぼ平行に内側に突出した支持縁部１３を含む板ガラスホルダ１２によって保持されている。図３ａ及び図３ｂに示すように、支持縁部１３は、補強組立部品１１として側面に設けられた押出し成形部品に形成されている。図３では、各支持縁部１３は組立部品１１の端面に形成されている。これらを組立部品１１に成形することにより、余計な部品を省くことができる。支持縁部１３によりメタルジャケット７の中央打抜き部を囲む周縁ウェブの範囲が決められ、この全周に亘る周縁ウェブにより板ガラスを背面側から打抜き部に挿入して支持縁部１３に戴置できる。板ガラスは好ましくはそこで接着接合される。
【００２５】
フランジを設けたメタルジャケット７の実施形態では、図４に示すように、フレーム強化部材１０の端面にカバー１４を設けることにより、シートメタルの端部及び支持部を覆って外観をよくすることができる。
【００２６】
ユニット躯体２に扉３を定着させるために、シール１４が、板ガラス６周りの金属フレーム５の背面に周方向に取り付けられており、扉を閉めたときに筐体２への定着を促す。
【００２７】
ユニットを覆うか又はユニットから突出させるためにシール１４の上方及び／又は下方でドア３を延長する場合には、追加の部品を設けてロック９又は温度計８等のその他の構成要素を任意に追加できるようにしてもよい。
【００２８】
図５に示すように、金属フレーム５に照明ユニット１５をさらに設けてもよく、図示した実施形態においては、照明ユニット１５は一列に並べられた発光ダイオードであるが、これはネオン管又は複数のネオン管であってもよい。照明装置１５は、メタルジャケット２の背面側で、板ガラスホルダ１２の支持縁部１３の外側に隣接するように設けられているので、照明ユニット１５は板ガラス６の短辺に隣接することになり、板ガラスに光が当てられる。したがって、ユニット躯体２内部に設ける照明装置を任意に省略してもよい。ガラスに結露が生じるのを防止するために、フレームヒータを照明ユニットとともに又はその代わりに、フレーム強化部材１０の組立部品１１に設置してもよい。
【００２９】
同一色に着色され、全面積にわたって延伸されたメタルジャケット７により、見える側の面において均質かつ高品位な外観が得られる。したがって、色のばらつきや、見えるところに空隙や接合箇所が生じることがなくなる。また、印刷、ラッカー塗装又は熱昇華などを選択することにより、金属フレームの見られる側の表面を特別な要求に対応させることができる。従来は材料が異なることから制限されていたが、ガラスドアとユニット躯体２との色合わせもまた、当然可能である。
【図面の簡単な説明】
【００３０】
【図１】本発明の好ましい実施形態によるガラスドアを有する冷蔵庫ユニットを模式的に示す斜視図である。
【図２】図１に示す冷蔵庫ユニットのガラスドアの独立斜視図である。
【図３】金属フレームのメタルジャケットに挿入されたフレーム強化部材とこれに形成された板ガラスホルダを示す、図２に示すガラスドアの金属フレームの内部斜視図である。
【図４】板ガラス及びドアシールを取り付けた状態の、図１から図３に示すガラスドアの背面側の部分斜視図である。
【図５】板ガラスの短辺側に設けられた照明装置を示す、ガラスドアのメタルジャケットに挿入された板ガラスホルダの拡大斜視図である。
【符号の説明】
【００３１】
３    ガラスドア
５    金属フレーム
６    板ガラス
７    メタルジャケット
８    温度計
１０  フレーム強化部材
１１  組立部品
１２  板ガラスホルダ
１３  支持縁部
１５  ヒータ、照明装置
１９  発泡体
【図１】
2008522121.tif 000003
【図２】
2008522121.tif 000004
【図３】
2008522121.tif 000005
【図４】
2008522121.tif 000006
【図５】
2008522121.tif 000007
【国際調査報告】
2008522121.tif 000008
2008522121.tif 000009
2008522121.tif 000010
2008522121.tif 000011